(57)【特許請求の範囲】
【請求項１】
除塵可能な空気清浄機であって、
ハウジング１、フィルタコア２、フィルタネットユニット３、揺動手段４および収集箱
５を備えており、
ハウジング１の外周は円形状であり、その上端の中部に第１取付穴が開設されており、
フィルタコア２は第１取付穴内に挿入しており、
フィルタネットユニット３は円弧状の構成として、かつ複数個備えられており、ハウジ
ング１の内部に取り付けて、かつフィルタコア２の外側に位置させるように構成されてお
り、ハウジング１の上端に第２取付穴１１が開設されており、フィルタネットユニット３
は第２取付穴１１内に挿設しており、第２取付穴１１は第１取付穴の外側に位置しており
、  揺動手段４は、２つ以上備えられ、フィルタネットユニット３にそれぞれ対応するよ
うにハウジング１の内部に取付けられており、フィルタネットユニット３を揺動し、
収集箱５はフィルタネットユニット３の下側に位置し、フィルタネットユニット３から
落下した塵灰を収集し、
フィルタネットユニット３は細目濾過網３１、一対の上部位置決めブロック３２および
一対の下部位置決め子３３を含み、一対の上部位置決めブロック３２は、それぞれ対称的
に細目濾過網３１の両側壁に固定され、且つこれら上部位置決めブロック３２は第２取付
穴１１内に配置されており、いずれかの下部位置決め子３３は位置決めロッド３３１、止
めブロック３３２および引張バネ３３３を含み、位置決めロッド３３１と止めブロック３
３２はともに細目濾過網３１に固定されており、且つ止めブロック３３２はそれらの上側
に位置し、引張バネ３３３は位置決めロッド３３１と細目濾過網３１との間に固定されて
おり、
揺動手段４は、バッフル４１、第１圧縮バネ４２、第２圧縮バネ４３、押しロッド４４
、案内ディスク４５、ローラ４６および伝動構成４７を含み、バッフル４１は細目濾過網
３１の下側に設置され、かつ弾性的に接触しており、バッフル４１は、その第１端がハウ
ジング１の内壁に対して回転可能であり、その第２端とハウジング１の内壁との間に灰入
り通路が形成されており、細目濾過網３１と反対側の一側面上でハウジング１の内壁との
間に第１圧縮バネ４２を介して固定されており、押しロッド４４はハウジング１の内部に
挿設されかつ移動可能であり、その一端が伝動構成４７を介してバッフル４１に接続され
、その他端が第２圧縮バネ４３の弾性力によって案内ディスク４５の外周に当接し、第２
圧縮バネ４３は押しロッド４４の外側に接続されており、ローラ４６はハウジング１の下
端に取付けられており、案内ディスク４５はローラ４６の中心軸上に固定され、ローラ４
６と同期するように回転し、
細目濾過網３１の下端に傾斜面が備えられており、傾斜面におけるフィルタコア２側が
最も高いとし、細目濾過網３１はバッフル４１上に配置される、
ことを特徴とする除塵可能な空気清浄機。
【請求項２】
第２取付穴１１はメイン取付穴１１１およびサブ取付穴１１２を有し、メイン取付穴１１
１は円弧状であり、サブ取付穴１１２は長尺状である、
ことを特徴とする請求項１に記載の除塵可能な空気清浄機。
【請求項３】
フィルタコア２は芯体２１およびネットキャップ２２を含み、芯体２１は第１取付穴内に
挿設しており、ネットキャップ２２はハウジング１の外端に螺接するとともに、芯体２１
の上端に押付られている、
ことを特徴とする請求項１に記載の除塵可能な空気清浄機。
【請求項４】
ハウジング１の外壁に２つ以上のプレフィルタ濾過網６が取り付けられており、プレフィ
ルタ濾過網６はその数量が細目濾過網３１の位置に対応し、且ついずれも細目濾過網３１
の外側に位置する、
ことを特徴とする請求項１に記載の除塵可能な空気清浄機。
【請求項５】
伝動構成４７は第１接続ロッド４７１および第２接続ロッド４７２を含み、第１接続ロッ
ド４７１と第２接続ロッド４７２とが回転可能に接続されており、第１接続ロッド４７１
の第２接続ロッド４７２と反対側の一端がバッフル４１の第２端に対して回転し、第２接
続ロッド４７２の第１接続ロッド４７１と反対側の一端が押しロッド４４に固定されてい
る、
ことを特徴とする請求項１に記載の除塵可能な空気清浄機。
【請求項６】
バッフル４１とハウジング１の内壁との回転点の上方に止め凸部４８が設置されており、
フィルタネットユニット３が止め凸部４８上に配置されている、
ことを特徴とする請求項１に記載の除塵可能な空気清浄機。
【請求項７】
灰入り通路の幅は細目濾過網３１の厚度よりも小さい、
ことを特徴とする請求項１に記載の除塵可能な空気清浄機。
【発明の詳細な説明】
【技術分野】
【０００１】
本発明は、空気清浄領域に関し、具体的には除塵可能な空気清浄機に関する。
【背景技術】
【０００２】
空気清浄機は、家、医療、工業などでよく使われている。特に家では、家庭用の単独機が
主流となっている。その重要な機能として、アレルゲン、室内ＰＭ２．５など、空気中の
粒状物を取り除くことができる。くわえて、内装などの原因で室内や地下、車内において
生成する揮発性有機物による空気汚染問題も解決できる。これらのような密閉空間では、
空気汚染物の放出は、持久性と不確実性があるので、空気清浄機を用いて室内空気を浄化
することが世界中でも認められる方法である。
【０００３】
ところが、従来の空気清浄機は、空気から大量のほこりを吸入したら、それを清潔や処分
することが不便である。長期間にわたって清浄機内では、ほこりが集まっている。このよ
うになって、清浄機の使用寿命が低減されるが、空気の浄化にも影響を与えている。
【発明の概要】
【０００４】
本発明は、上記の問題に対して、除塵可能な空気清浄機を提供する。
本発明が採用する技術方案は下記の通りである。
本発明にかかる除塵可能な空気清浄機は、ハウジング１、フィルタコア２、フィルタネッ
トユニット３、揺動手段４および収集箱５を備えている。ハウジング１の外周は円形状の
構成とされている。その上端の中部に第１取付穴が開設されている。フィルタコア２は第
１取付穴内に挿入している。また芯体２１とネットキャップ２２の間にワッシャーが介押
されている。このようにして芯体２１が揺れにくい構成となっている。フィルタネットユ
ニット３は円弧状の構成として、かつ複数個備えられている。好ましくは、２つのフィル
タネットユニット３を対称的にハウジング１の内部に取り付けて、かつフィルタコア２の
外側に位置させるように構成している。また、ハウジング１の上端に第２取付穴１１が開
設されている。フィルタネットユニット３は第２取付穴１１内に挿設している。第２取付
穴１１は第１取付穴の外側に位置する。また、揺動（ディザリング）手段４は、２つ以上
備えられ、フィルタネットユニット３にそれぞれ対応するようにハウジング１の内部に取
付けられており、フィルタネットユニット３を揺動することができる。また、収集箱５は
フィルタネットユニット３の下側に位置し、フィルタネットユニット３から落下した塵灰
を収集することができる。
【０００５】
好ましくは、第２取付穴１１はメイン取付穴１１１およびサブ取付穴１１２を有する。メ
イン取付穴１１１は円弧状とし、サブ取付穴１１２は長尺状としている。
【０００６】
好ましくは、フィルタコア２は芯体２１およびネットキャップ２２を含む。芯体２１は第
１取付穴内に挿設している。ネットキャップ２２はハウジング１の外端に螺接するととも
に、芯体２１の上端に押付されている。
【０００７】
好ましくは、フィルタネットユニット３は細目濾過網３１、一対の上部位置決めブロック
３２および一対の下部位置決め子３３を含む。一対の上部位置決めブロック３２は、それ
ぞれ対称的に細目濾過網３１の両側壁に固定され、且つこれら上部位置決めブロック３２
は第２取付穴１１内に配置されている。いずれかの下部位置決め子３３は位置決めロッド
３３１、止めブロック３３２および引張バネ３３３を含む。位置決めロッド３３１と止め
ブロック３３２はともに細目濾過網３１に固定されており、且つ止めブロック３３２はそ
れらの上側とする。引張バネ３３３は位置決めロッド３３１と細目濾過網３１との間に固
定されている。
【０００８】
好ましくは、細目濾過網３１の下端に傾斜面が備えられている。
【０００９】
好ましくは、ハウジング１の外壁に２つ以上のプレフィルタ濾過網６が取り付けられてい
る。
【００１０】
好ましくは、揺動手段４は、バッフル４１、第１圧縮バネ４２、第２圧縮バネ４３、押し
ロッド４４、案内ディスク４５、ローラ４６および伝動構成４７を含む。バッフル４１は
細目濾過網３１の下側に設置され、かつ弾性的に接触している。バッフル４１は、その第
１端がハウジング１の内壁に対して回転可能であり、その第２端とハウジング１の内壁と
の間に灰入り通路が形成されており、その細目濾過網３１と反対側の一側面上でハウジン
グ１の内壁との間に第１圧縮バネ４２を介して固定されている。このようにして、細目濾
過網３１は誤操作などで灰入り通路内に挿入してしまうことがなく、より正確的にバッフ
ル４１の上端面に配置することができる。押しロッド４４はハウジング１の内部に挿設さ
れかつ移動可能であり、その一端が伝動構成４７を介してバッフル４１に接続され、その
他端が第２圧縮バネ４３の弾性力によって案内ディスク４５の外周に当接する。第２圧縮
バネ４３は押しロッド４４の外側に接続されている。ローラ４６はハウジング１の下端に
取付けられている。案内ディスク４５はローラ４６の中心軸上に固定され、それと同期に
回転する。また、ローラ４６上にさらにブレーキが設けられている。
【００１１】
好ましくは、伝動構成４７は第１接続ロッド４７１および第２接続ロッド４７２を含む。
第１接続ロッド４７１と第２接続ロッド４７２とが回転可能に接続されている。第１接続
ロッド４７１の第２接続ロッド４７２と反対側の一端がバッフル４１第２端に対して回転
する。第２接続ロッド４７２の第１接続ロッド４７１と反対側の一端が押しロッド４４に
固定されている。
【００１２】
好ましくは、バッフル４１とハウジング１の内壁との回転点の上方に止め凸部４８が設置
されている。フィルタネットユニット３が止め凸部４８上に配置されている。止め凸部４
８はバッフル４１の回転範囲を定義している。これによって細目濾過網３１を容易にバッ
フル４１上で配置することができる。
【００１３】
好ましくは、灰入り通路の幅は細目濾過網３１の厚度より小さくされる。
【００１４】
本発明の有益な効果は以下の通りである。
［１］本発明にかかる空気清浄機は、外形全体には稜が少なく、使用中の衝突などによっ
てユーザーに傷つけるなどの不都合を減少する。また空気を濾過する時は、向かう面積が
大きく、上方から排気して、外周から進気するというふうに、空気の出入りがはっきりと
している。また、多段のフィルタリングを採用して、空気の浄化力が強化する。さらに、
内蔵される細目濾過網に対する清潔は、清浄機を移動すればすみ、移動させながら揺動手
段によってフィルタネットユニットを揺動して、自動的に落下した塵灰を収集箱中に収集
することができる。ユーザーの側で、定期的に収集箱を空にすれば結構であって、とても
便利である。
［２］本発明にかかる空気清浄機は、細目濾過網を上から挿入して揺動手段上に配置する
ので、取外操作が非常に便利である。位置決めロッドを下向きに回転させ、そして挿入す
ればよく、また取り出す時は直接に引き出してもよい。
［３］本発明にかかる空気清浄機は、細目濾過網の下端とバッフルとが常時に接触してい
るので、灰入り通路内に入ったほこりが細目濾過網とフィルタの間へ舞い込んでしまうこ
とを効果的に防止する。
［４］本発明にかかる空気清浄機は、外側に設けられるプレフィルタは、より堅固な材質
で作られるもので、最初の濾過機能、ないしは保護機能を発揮することができる。よって
、本清浄機は壊れにくくなる。
【図面の簡単な説明】
【００１５】
以下、図面及び実施例とともに本発明を具体的に説明する。
【図１】本発明の構造を示す斜視図である。
【図２】本発明の断面図である。
【図３】図２のＡ箇所の構成図である。
【図４】図２のＢ箇所の構成図である。
【図５】本発明の平面構成図である。
【００１６】
［符号の説明］
１  ハウジング
１１  第２取付穴
１１１  メイン取付穴
１１２  サブ取付穴
２  フィルタコア
２１  芯体
２２  ネットキャップ
３  フィルタネットユニット
３１  細目濾過網
３２  上部位置決めブロック
３３  下部位置決め子
３３１  位置決めロッド
３３２  止めブロック
３３３  引張バネ
４  揺動手段
４１  バッフル
４２  第１バネ
４３  第２圧縮バネ
４４  押しロッド
４５  案内ディスク
４６  ローラ
４７  伝動構成
４７１  第１接続ロッド
４７２  第２接続ロッド
４８  止め凸部
５  収集箱
６  プレフィルタ濾過網
【発明を実施するための形態】
【００１７】
本発明によって実現される技術的手段、創作的特徴、目的と効果を明確に説明するために
、以下では具体的な実施形態に関連して、本発明をさらに説明する。
【００１８】
図１〜図５に示されるように、本発明にかかる除塵可能な空気清浄機は、ハウジング１、
フィルタコア２、フィルタネットユニット３、揺動手段４および収集箱５を備えている。
ハウジング１の外周は円形状の構成とされている。その上端の中部に第１取付穴が開設さ
れている。フィルタコア２は第１取付穴内に挿入している。フィルタコア２は芯体２１お
よびネットキャップ２２を含む。芯体２１は第１取付穴内に挿設している。ネットキャッ
プ２２はハウジング１の外端に螺接するとともに、芯体２１の上端に押付されている。ま
た芯体２１とネットキャップ２２の間にワッシャーが介押されている。このようにして芯
体２１が揺れにくい構成となっている。フィルタネットユニット３は円弧状の構成として
、かつ複数個備えられている。好ましくは、２つのフィルタネットユニット３を対称的に
ハウジング１の内部に取り付けて、かつフィルタコア２の外側に位置させるように構成し
ている。また、ハウジング１の上端に第２取付穴１１が開設されている。そして、第２取
付穴１１はメイン取付穴１１１およびサブ取付穴１１２を有する。メイン取付穴１１１は
円弧状とし、サブ取付穴１１２は長尺状としている。フィルタネットユニット３は第２取
付穴１１内に挿設している。第２取付穴１１は第１取付穴の外側に位置する。また、揺動
手段４は、２つ以上備えられ、フィルタネットユニット３にそれぞれ対応するようにハウ
ジング１の内部に取付けられており、フィルタネットユニット３を揺動することができる
。また、収集箱５はフィルタネットユニット３の下側に位置し、フィルタネットユニット
３から落下した塵灰を収集することができる。
【００１９】
図３〜４に示されるように、フィルタネットユニット３は細目濾過網３１、一対の上部位
置決めブロック３２および一対の下部位置決め子３３を含む。一対の上部位置決めブロッ
ク３２は、それぞれ対称的に細目濾過網３１の両側壁に固定され、且つこれら上部位置決
めブロック３２は第２取付穴１１内に配置されている。いずれかの下部位置決め子３３は
位置決めロッド３３１、止めブロック３３２および引張バネ３３３を含む。位置決めロッ
ド３３１と止めブロック３３２はともに細目濾過網３１に固定されており、且つ止めブロ
ック３３２はそれらの上側とする。引張バネ３３３は位置決めロッド３３１と細目濾過網
３１との間に固定されている。
【００２０】
図３に示されるように、細目濾過網３１の下端に傾斜面が備えられている。傾斜面におけ
るフィルタコア２側が最も高いとする。細目濾過網３１はバッフル４１上に配置される。
重力によってバッフル４１は傾斜するが、細目濾過網３１の底面が傾斜面であるので、そ
れとの接触が緊密にでき、灰入り通路内に落下した塵灰が細目濾過網３１と濾過網２の間
へ舞い込んでしまうなどの不都合を効果的に防止する。
【００２１】
図１に示されるように、ハウジング１の外壁に２つ以上のプレフィルタ濾過網６が取り付
けられている。プレフィルタ濾過網６はその数量が細目濾過網３１の位置に対応し、且つ
いずれも細目濾過網３１の外側に位置するので、プレフィルタおよび保護機能を発揮する
。
【００２２】
図３に示されるように、揺動手段４は、バッフル４１、第１圧縮バネ４２、第２圧縮バネ
４３、押しロッド４４、案内ディスク４５、ローラ４６および伝動構成４７を含む。バッ
フル４１は細目濾過網３１の下側に設置され、かつ弾性的に接触している。バッフル４１
は、その第１端がハウジング１の内壁に対して回転可能であり、その第２端とハウジング
１の内壁との間に灰入り通路が形成されており、その細目濾過網３１と反対側の一側面上
でハウジング１の内壁との間に第１圧縮バネ４２を介して固定されている。灰入り通路の
幅は細目濾過網３１の厚度より小さくされる。このようにして、細目濾過網３１は誤操作
などで灰入り通路内に挿入してしまうことがなく、より正確的にバッフル４１の上端面に
配置することができる。押しロッド４４はハウジング１の内部に挿設されかつ移動可能で
あり、その一端が伝動構成４７を介してバッフル４１に接続され、その他端が第２圧縮バ
ネ４３の弾性力によって案内ディスク４５の外周に当接する。第２圧縮バネ４３は押しロ
ッド４４の外側に接続されている。ローラ４６はハウジング１の下端に取付けられている
。案内ディスク４５はローラ４６の中心軸上に固定され、それと同期に回転する。また、
ローラ４６上にさらにブレーキが設けられている。
【００２３】
図３に示されるように、伝動構成４７は第１接続ロッド４７１および第２接続ロッド４７
２を含む。第１接続ロッド４７１と第２接続ロッド４７２とが回転可能に接続されている
。第１接続ロッド４７１の第２接続ロッド４７２と反対側の一端がバッフル４１第２端に
対して回転する。第２接続ロッド４７２の第１接続ロッド４７１と反対側の一端が押しロ
ッド４４に固定されている。バッフル４１とハウジング１の内壁との回転点の上方に止め
凸部４８が設置されている。フィルタネットユニット３が止め凸部４８上に配置されてい
る。止め凸部４８はバッフル４１の回転範囲を定義している。これによって細目濾過網３
１を容易にバッフル４１上で配置することができる。
【００２４】
本発明の動作原理を説明する。フィルタコア２が作動すると、外周から空気が入って、プ
レフィルタ濾過網６によりフィルタリングされる。大きな不純物がここで濾過される。次
に、順次に細目濾過網３１および芯体２１によって濾過される。そしてネットキャップ２
２の上方から排出される。細目濾過網３１の濾過によって残った塵灰部分が直接に灰入り
通路を通して収集箱５内に落下する。その一部が細目濾過網３１の網目に積み止まる。こ
の積み塵灰は、清浄機を移動する中で、揺動手段４によって細目濾過網３１を揺動するこ
とで、落下させることができる。清浄機を移動する時は、ローラ４６と案内ディスク４５
とが同期に回転するが、案内ディスク４５の波紋状の外周によって、押しロッド４４が案
内ディスク４５の外周突起部に位置すると、押しロッド４４が上方向へ移動し始まる。押
しロッド４４が案内ディスク４５の外周凹部に位置すると、押しロッド４４が第２圧縮バ
ネ４３の作用で復帰する。このように、押しロッド４４の上下移動は伝動構成４７によっ
てバッフル４１の移動へ転換する。第１圧縮バネ４２の助力で細目濾過網３１の揺動を実
現する。
【００２５】
さらにフィルタネットユニット３の組立てを説明する。まず位置決めロッド３３１を下方
向内側へ回転させて、細目濾過網３１の表面に接触するまで回転を停止させる。このとき
、引張バネ３３３が引張って、サブ取付穴１１２からハウジング１内側へ延伸している。
ハウジング１内に引張バネ３３３が入った後、その弾性力によって、位置決めロッド３３
１を自動的に両外側へ図３に示される位置まで回転させる。そしてまっすぐ下方向へフィ
ルタネットユニット３が延伸して、その底部がバッフル４１に接触するまで停止する。こ
のときに、押し部の上部位置決めブロック３２が第１取付穴１１内に位置する。このよう
にして、細目濾過網３１が必要以上傾斜しにくい。
【要約】      （修正有）【課題】機内にほこりが集まらないようにして使用寿命を伸ばし、浄化性能を保つ、除塵可能な空気清浄機を提供する。【解決手段】ハウジング１、フィルタコア、フィルタネットユニット、揺動手段及び収集箱５を備え、ハウジングの外周は円形状であり、上端の中部に第１取付穴が開設され、フィルタコアは第１取付穴内に挿入され、フィルタネットユニットは円弧状の構成として、かつ複数個備えられ、ハウジングの内部に取り付けて、かつフィルタコアの外側に位置させるように構成され、ハウジングの上端に第２取付穴が開設され、フィルタネットユニットは第２取付穴内に挿設され、第２取付穴は第１取付穴の外側に位置し、揺動手段は２つ以上備えられ、フィルタネットユニットに各々対応するようにハウジングの内部に取付けられ、フィルタネットユニットを揺動し、収集箱５はフィルタネットユニットの下側に位置し、落下した塵灰を収集する。【選択図】図２【図１】
0006904516.tif 000002
【図２】
0006904516.tif 000003
【図３】
0006904516.tif 000004
【図４】
0006904516.tif 000005
【図５】
0006904516.tif 000006